(57)【特許請求の範囲】
【請求項１】
装置本体内に、紙幣投入口から挿入された紙幣を略Ｕ字状の紙幣搬送路に沿って搬送ベルトで搬送する紙幣搬送ベルト手段と、前記紙幣の真偽を判別する紙幣識別手段と、該紙幣識別手段により真券と見なされた紙幣を収容する紙幣収容手段とを少なくとも備えた紙幣処理装置において、
前記紙幣収容手段を除き、前記紙幣搬送ベルト手段と前記紙幣識別手段とを少なくとも含むユニットボックスを、前記装置本体に対し紙幣投入口側に面する前記搬送ベルトが露出するように前記紙幣収容手段側へ向け開閉自在に装着し、かつ前記ユニットボックスを前記装置本体に対し着脱自在に装着するとともに、
前記紙幣搬送ベルト手段と前記紙幣識別手段の一部を含んでユニットを構成し、該ユニットを前記ユニットボックスに対し開閉自在、かつ着脱自在に装着することを特徴とする紙幣処理装置。
【請求項２】
紙幣投入口から挿入された紙幣を搬送する紙幣搬送ベルト手段と、前記紙幣の真偽を判別する紙幣識別手段と、該紙幣識別手段により真券と見なされた紙幣を収容する紙幣収容手段とを少なくとも備えた紙幣処理装置において、
前記紙幣投入口と、該紙幣投入口に連結し前記紙幣搬送路の一部を形成する第１の紙幣案内手段と、
前記紙幣搬送ベルト手段の搬送ベルトに当接して前記第１の紙幣案内手段と共に前記紙幣搬送路を形成する第１の複数の従動ローラとを有する装置本体と、
該装置本体に開閉自在に装着され、前記紙幣搬送ベルト手段と、前記搬送ベルトに当接し前記紙幣搬送路を形成する第２の複数の従動ローラと、前記紙幣搬送路の一部を形成する第２の紙幣案内手段と、前記紙幣搬送ベルト手段を駆動する駆動手段と、前記紙幣の真偽を判別するための前記紙幣識別手段とを有するユニットボックスとを具備し、
前記ユニットボックスを、前記装置本体に対し前記紙幣投入口側に面する前記搬送ベルトが露出するように前記紙幣収容手段側へ向け開閉自在に装着し、かつ前記ユニットボックスを前記装置本体に対し着脱自在に装着するとともに、
前記紙幣搬送ベルト手段と前記紙幣識別手段の一部を含んでユニットを構成し、該ユニットを前記ユニットボックスに対し開閉自在、かつ着脱自在に装着することを特徴とする紙幣処理装置。
【請求項３】
前記ユニットを前記ユニットボックスから開いた状態で、搬送ベルトが着脱自在に装着され、また前記駆動手段はモータ及び該モータの駆動力を伝達する歯車動力伝達手段を含み、前記紙幣搬送ベルト手段は前記搬送ベルトを駆動プーリと従動プーリでなるプーリ手段に張設しており、さらに前記搬送ベルトを張設する前記プーリ手段に隣接する位置に、プーリのスラスト方向への移動を阻止するプーリ移動防止爪を配設したことを特徴とする請求項２に記載の紙幣処理装置。
【請求項４】
前記ユニットボックスの一側方には、開閉自在の蓋体に覆われ前記装置本体から延設されるケーブルのコネクタ部が配設された収納部を設けていることを特徴とする請求項２に記載の紙幣処理装置。
【請求項５】
前記ユニットボックスの一方端に第１の係止手段、他方端にＵ溝を有し、且つ、前記装置本体には前記第１の係止手段と係合する第２の係止手段と、前記Ｕ溝が嵌挿される軸を有して、前記ユニットボックスが前記装置本体に開閉自在に若しくは着脱自在に装着されたことを特徴とする請求項２に記載の紙幣処理装置。
【発明の詳細な説明】
【発明の属する技術分野】
この発明は、投入紙幣の真偽を判別するとともに、真券をスタッカー内に蓄積収容するようにした紙幣処理装置に関し、特にその保守点検作業を容易にするようにした紙幣処理装置に関する。
【従来の技術】
一般に自動販売機等の機器内には、投入紙幣の真偽を判別するとともに、真券を収容するようにした紙幣処理装置が装着されている。
この紙幣処理装置は、大別して以下に示す四つの構成要素からなっている。
（１）紙幣投入口を具えた筐体からなる装置本体。
（２）この装置本体内に配設され、投入紙幣を装置本体内へ搬送する紙幣搬送ベルト手段。
（３）この紙幣搬送ベルト手段と同様に装置本体内に配設され、当該紙幣搬送ベルト手段により搬送された紙幣の真偽を判別する紙幣識別手段。
（４）この紙幣識別手段により真券と見做された紙幣を収容するスタッカーからなる紙幣収容手段。
とから構成されている。
一方、上述した装置本体の紙幣投入口内に投入された紙幣は、モータ等により回転駆動された紙幣搬送ベルトからなる前記紙幣搬送ベルト手段により、装置本体内に搬送され、その間に紙幣識別用のセンサーである磁気ヘッド、ホトセンサー等からなる紙幣識別手段により、その真偽が判別される。
そして、この紙幣識別手段により投入紙幣が偽券と判断された場合は、紙幣搬送ベルト手段の紙幣搬送ベルトを逆転させて、当該偽券と判断された投入紙幣を紙幣投入口から返却する。
また紙幣識別手段により投入紙幣が真券と見做された場合は、紙幣搬送ベルト手段によりスタッカー内へ搬送し、そこに収容する。
【発明が解決しようとする課題】
ところで、上述した紙幣処理装置は、一般に流通した紙幣を取り扱うことから、埃あるいはゴミ等が付着した紙幣が投入される場合も多く、このため紙幣搬送ベルト手段の紙幣搬送ベルトや紙幣識別手段の磁気ヘッド、ホトセンサー等にゴミが付着して、紙幣の搬送ミスや紙幣の識別ミスを招く虞がある。
そこで、紙幣処理装置では紙幣搬送ベルト手段の紙幣搬送ベルトや紙幣識別手段の磁気ヘッド、ホトセンサー等を定期的に清掃あるいは交換等の保守点検作業をする必要があるが、従来の紙幣処理装置では、これらの紙幣搬送ベルト手段や紙幣識別手段が装置本体内に分離不可能に配設されていてるため、その清掃作業が煩雑で、場合によっては装置全体を分解処理して、その清掃作業を行わねばならず、その作業が極めて煩雑であった。
この発明は、上述した事情に鑑み、紙幣搬送ベルト手段と紙幣識別手段の保守点検作業を簡単に行うことのできる紙幣処理装置を提供することを目的とする。
【課題を解決するための手段】
上述した課題を解決するため、この発明では、装置本体内に、紙幣投入口から挿入された紙幣を略Ｕ字状の紙幣搬送路に沿って搬送ベルトで搬送する紙幣搬送ベルト手段と、前記紙幣の真偽を判別する紙幣識別手段と、該紙幣識別手段により真券と見なされた紙幣を収容する紙幣収容手段とを少なくとも備えた紙幣処理装置において、前記紙幣収容手段を除き、前記紙幣搬送ベルト手段と前記紙幣識別手段とを少なくとも含むユニットボックスを、前記装置本体に対し紙幣投入口側に面する前記搬送ベルトが露出するように開閉自在に装着するようにしている。
【発明の実施の形態】
以下、この発明に係わる紙幣処理装置の一実施例を詳述する。
図１は、この発明に係わる紙幣処理装置１の要部破断面図である。
この硬貨処理装置１も従来と同様に、
（１）紙幣挿入口２を具えた筐体からなる装置本体３と、
（２）この装置本体３内に配設され、投入紙幣を当該装置本体３内へ搬送する紙幣搬送ベルト手段４と、
（３）該紙幣搬送ベルト手段４により搬送された紙幣の真偽を判別する紙幣識別手段５と、
（４）この紙幣識別手段５により真券と見做された紙幣を収容するスタッカー６からなる紙幣収容手段とから構成されている。
このうち、装置本体３は、紙幣投入口２が形成され、図示せぬ自動販売機の正面を構成する扉の一部から露出するように配設されるフロントマスク７と、このフロントマスク７を正面に装着したフロントプレート８と、このフロントプレート８に固着された矩形状の筐体９とから構成されている。
一方、上述した紙幣搬送ベルト手段４と紙幣識別手段５とは、筐体９の内周面に突設された軸１０を中心に回動自在に支承されたユニットボックス１１内に配設されている。
また、紙幣識別手段５により真券と見做された紙幣を収容する紙幣収容手段の構成要素であるスタッカー６は、筐体９の下方に軸受手段１２を介し、回動自在で、しかも着脱自在に支承されている。
一方、上述したユニットボックス１１は、下端に形成されたＵ字形状の溝１３を前記筐体９の内周面に突設された軸１０内に嵌挿させることにより、当該筐体９に対して回動自在に支承されている。
また、このユニットボックス１１は、その上端に突設された突起１４と対応する位置のフロントプレート８に回動自在に配設されたラッチレバー１５とからなるラッチ手段１６により、装置本体３に位置決め支承されている。
なお、本願では、上述したユニットボックス１１の上端に突設された前記突起１４を第１の係止手段と称し、また装置本体３に配設された前記ラッチレバー１５を第２の係止手段と称する。
したがって、このユニットボックス１１は、スタッカー６を軸受手段１２を介して時計方向へ所定の回転角度回動させ、さらにラッチ手段１６のラッチレバー１５を上げて当該ラッチレバー１５と突起１４との係合を解除し、さらに図２で示すように筐体９の軸１０を中心に時計方向へ所定の回転角度回動させると、その姿勢を変更させることができる。
さらに、この図２で示す位置からユニットボックス１１を矢印Ａで示すように上方へ移動させると、当該ユニットボックス１１全体が図３で示すように装置本体３の筐体９内から簡単に取り外すことができる。
一方、図１に示すように、上述したユニットボックス１１内に配設された紙幣搬送ベルト手段４と紙幣識別手段５のうち、紙幣搬送ベルト手段４は紙幣投入口２に連通して形成された一点鎖線で示す紙幣案内通路２０のうち、略Ｕ字形状に蛇行形成された部分の紙幣案内通路２０に沿って張設された無端の紙幣搬送ベルト２１と、当該紙幣搬送ベルト２１を回転駆動するモータ２２からなる駆動手段２３とから構成されている。
なお、本願では上述した紙幣案内通路２０のうち、紙幣投入口２からユニットボックス１１内の紙幣搬送ベルト２１に至までの紙幣案内通路２０の一部を第１の紙幣案内手段と称し、またユニットボックス１１内に形成されたＵ字形状に蛇行形成された紙幣案内通路２０の一部を第２の紙幣案内手段と称する。
上述した紙幣搬送ベルト手段４のうち、無端の紙幣搬送ベルト２１は上下に所定の間隔を設けて配設された駆動プーリ２４と従動プーリ２５との間に張設され、また駆動プーリ２４を支承する軸２６と駆動手段２３を構成するモータ２２の駆動軸２７との間には図示せぬ歯車列から構成された歯車動力伝達手段が配設されている。
なお、この歯車動力伝達手段の最終段を構成する歯車は駆動プーリ２４を支承する軸２６に固着されており、この最終段を構成する図示せぬ歯車と該歯車に歯合する前記歯車動力伝達手段の最終段直前の歯車は切り離し可能に構成されている。
従って、図示せぬ制御装置の駆動信号に基づき、モータ２２の駆動軸２７が一方向へ回転すると、図示せぬ歯車列からなる歯車動力伝達手段を介して駆動プーリ２４を支承する軸２６が一方向へ回転し、これにより駆動プーリ２４が回転して紙幣搬送ベルト２１が一方向へ回転する。
なお、この紙幣搬送ベルト２１の周面には複数個の従動ローラ２８が圧接しており、投入紙幣は当該従動ローラ２８と紙幣搬送ベルト２１との間に挟持されるので、紙幣搬送ベルト２１が一方向へ回転すると投入紙幣は紙幣案内通路２０に沿って当該紙幣案内通路２０の下流へ安定して搬送されることとなる。
なお、本願では上述した複数個の従動ローラ２８のうち、装置本体３の筐体９側に配設されている複数個の従動ローラ２８を第１の複数の従動ローラと称し、またユニットボックス１１に配設されている複数個の従動ローラ２８を第２の複数の従動ローラと称する。
なお、図１で符号３０は紙幣案内通路２０に沿って形成された紙幣案内シュートである。
一方、上述した紙幣識別手段５は、前述した紙幣搬送ベルト２１を境に対峙して配設され、通過する投入紙幣の特定位置の濃淡を検出する光センサーである発光センサー３１および受光センサー３２と、通過する投入紙幣の特定位置の磁気を検出する磁気センサー３３等から構成されている。
なお、発光センサー３１と磁気センサー３２は、ユニットボックス１１内に収容された一方の印刷配線基板３５に搭載され、受光センサー３２は他方の印刷配線基板３６に搭載されている。
次に上述した紙幣処理装置１の作用を説明し、併せて構成をより詳細に説明する。
図１で示すように、投入紙幣Ｆを紙幣投入口２内に挿入すると、その先端が紙幣検出センサー４０により検出されるので、その検出信号に基づき図示せぬ制御装置は、紙幣搬送ベルト手段４のモータ２２をオンして一方向へ回転させる。
このように紙幣搬送ベルト手段４のモータ２２が一方向へ回転すると、図示せぬ歯車動力伝達手段を介して駆動プーリ２４が時計方向へ回転し、紙幣搬送ベルト２１を一方向（時計方向）へ回転させて投入紙幣を一点鎖線で示す紙幣案内通路２０に沿い、スタッカー６側へ搬送する。
なお、同時に紙幣案内通路２０を開閉するシャッタ手段４１のソレノイド４２がオンし、これによりシャッター４３が作動して当該紙幣案内通路２０を拡開する。
すると、紙幣投入口２内に投入された投入紙幣Ｆが紙幣案内通路２０に沿いスタッカー６側へ搬送されるが、その際、紙幣識別手段５の発光センサー３１および受光センサー３２と磁気センサー３３とにより、当該投入紙幣の真偽が判別される。
そして、投入紙幣が真券と判断されると、紙幣案内通路２０のさらに下流に位置するスタッカー６の正面に案内され、その後、当該真券と見なされた投入紙幣は、紙幣収容手段の構成要素であるリンク式の周知の紙幣移動手段５０を介してスタッカー６内へ移動され、そこに収容される。
なお、紙幣収容手段は上述した紙幣移動手段５０とスタッカー６とから構成される。
一方、紙幣識別手段５により投入紙幣Ｆが偽券と判別されると、図示せぬ制御装置は、紙幣搬送ベルト手段４のモータ２２を他方向へ回転させ、これにより紙幣搬送ベルト２１を他方向、即ち反時計方向へ回転させて投入紙幣Ｆを紙幣投入口２から返却する。その後、図示せぬ制御装置は紙幣案内通路２０を開閉するシャッタ手段４１のソレノイド４２をオフしてシャッター４３を作動させ、これにより当該紙幣案内通路２０を閉塞する。
次に、保守点検時の動作を説明し、併せて構成をより詳細に説明する。
紙幣搬送ベルト手段４の紙幣搬送ベルト２１や紙幣識別手段５の発光および受光センサー３１、３２、および磁気センサー３３を清掃する等の保守点検時には、まず、図２で示すように、スタッカー６を軸受手段１２を介して時計方向へ所定の回転角度回動させて位置決める。
次に、ラッチ手段１６のラッチレバー１５を上げて当該ラッチレバー１５と突起１４との係合を解除し、その後、ユニットボックス１１を筐体９の軸１０を中心に時計方向へ所定の回転角度回動させる。
すると、紙幣搬送ベルト手段４と紙幣識別手段５とを少なくとも含むユニットボックス１１が、装置本体３に対し紙幣投入口２側に面する紙幣搬送ベルト２１を露出させるように拡開するので、この状態で綿棒等の治具を使用して当該紙幣搬送ベルト２１を簡単に清掃することができることとなる。
一方、この図２で示すユニットボックス１１の回動位置では、紙幣識別手段５の発光および受光センサー３１、３２、および磁気センサー３３は紙幣搬送ベルト手段４の紙幣搬送ベルト２１背面側に位置しているので、図２に示す状態では直ちに清掃することはできない。
一方、上述した紙幣搬送ベルト手段４の紙幣搬送ベルト２１を張設する駆動プーリ２４の軸２６と従動プーリ２５の軸７０は、ユニットボックス１１に対し軸５１を中心に回動自在に支承された支持プレートからなるユニット５２に取り付けられている。
このため、図２に示す位置からユニット５２を軸５１を中心に反時計方向へ回転させると、図４で示すように、紙幣搬送ベルト２１の背面側も露出し、併せて、この紙幣搬送ベルト２１背面側に位置する紙幣識別手段５の発光および受光センサー３１、３２、および磁気センサー３３も露出するので、この図４に示す状態で、綿棒等の治具を使用すれば、紙幣識別手段５の発光および受光センサー３１、３２、および磁気センサー３３も簡単に清掃することができることとなる。
なお、上記実施例では図４に示すように、ユニットボックス１１を筐体９の軸１０を中心に時計方向へ所定の回転角度回転した状態のまま、紙幣搬送ベルト手段４および紙幣識別手段５の清掃作業を行う場合について詳述したが、この清掃作業は図３で示すように、一旦ユニットボックス１１全体を筐体９から取り外した後、その清掃作業を行ってもよい。
一方、上述した紙幣処理装置１では、図１に示すように、スタッカー６を装置本体３の筐体９に回動自在に支承する軸受手段１２は、スタッカー６の両側方に突設され、一対の円弧を重ね合わせた略断面双眼鏡状の突起６０と、これを嵌挿するために、同様に一対の円弧を重ね合わせた断面双眼鏡状の壁面部６１ａを有するガイド溝６１とから構成されている。
このような軸受手段１２によると、図２で示すように、スタッカー６を突起６０を中心に時計方向へ回転させると、突起６０の平面部６０ａとガイド溝６１の垂直壁６１ｂとが互いに当接して、これにより当該スタッカー６を所定の回転角度の位置に位置決めすることができる。
なお、このスタッカー６の回転位置では、当該スタッカー６の解放された上端が露出するので、この上端からスタッカー６内に収容された紙幣を簡単に抜き出すことができる。
一方、このスタッカー６を筐体９から取り外すには、図２に示すスタッカー６の位置から、図５で示すように当該スタッカー６を垂直上方へ移動させる。
すると、当該スタッカー６の突起６０がガイド溝６１に沿って上方へ移動し、当該ガイド溝６１の解放口６１ｃに至るので、この図５で示すスタッカー６の位置から、図６で示すように、当該スタッカー６を水平に右方向へ移動させると、スタッカー６の突起６０とガイド溝６１との係合が解除されて、スタッカー６が筐体９から取り外されることとなる。
なお上述した軸受手段１２によると、図２に示すように、スタッカー６を所定の回転角度傾斜させた姿勢に位置決めた際に、突起６０の円弧部６０ｂがガイド溝６１に形成された断面双眼鏡状の壁面部６１ａの一方の円弧部６１ｃに係合しているので、誤ってスタッカー６を図２で示す位置から、さらに時計方向へ回転させた場合でも、突起６０の円弧部６０ｂが、ガイド溝６１の一方の円弧部６１ｃと他方の円弧部６１ｄとの間に形成された山部６１ｅを乗り越えることがなく、このため、スタッカー６が誤ってガイド溝６１内から脱落し、内部に収容された紙幣を撒き散らすような虞を可及的に解消することができる。
なお、上記実施例では、図３で示すように、ユニットボックス１１内に紙幣識別手段５および紙幣搬送ベルト手段４とを少なくとも配置し、しかもこのユニットボックス１１そのものを装置本体３の筐体９に対して着脱自在に装着させるようにしたから、例えば、発光および受光センサー３１、３２および磁気センサー３３等の取付け位置が実施例のものとは異なった紙幣識別手段５を装着した別の同一形状のユニットボックス１１をオプションとして予め用意し、これを実施例のものに変えて筐体９内に交換装着すれば、いたずら紙幣の発生等に対する光および磁気センサー位置の迅速な変更処理が可能である。
また、紙幣形状等の規格が異なる世界各国の紙幣に対応して、紙幣識別手段５の取付け位置、あるいは紙幣搬送ベルト手段４の取付け位置等が異なったユニットボックス１１を各種用意しておけば、紙幣処理装置１全体の大きな設計変更を行うことなく、単に世界各国の紙幣に対応したユニットボックス１１を交換して配置するだけで、規格が異なる世界各国の紙幣に迅速に対応させた紙幣処理装置を簡単に提供することができる。
なお、上記実施例では図４で示すように、ユニット５２に、紙幣識別手段５の一部である発光センサー３１、磁気センサー３３等の紙幣識別用のセンサー、および紙幣搬送ベルト手段４の一部を構成する紙幣搬送ベルト２１等を装着させ、このユニット５２を軸５１を介しユニットボックス１１に対し、単に回動自在に支承させるようにしたが、この発明は上記実施例に限定されることなく、図２と同一部分を同一符号で示す図７のように、ユニット５２の軸５１を例えば断面略Ｄ字形状に形成し、かつ、この軸５１が方向性を持ってユニットボックス１１に着脱自在、かつ装着後は回動自在に支承することのできる軸受を、当該ユニットボックス１１に形成するようにしても良い。
このように構成すると、図７で示すように、ユニット５２に搭載された紙幣搬送ベルト手段４と紙幣識別手段５の各一部（紙幣搬送ベルト２１、駆動及び従動プーリ２４、２５、発光センサー３１、磁気センサー３３等）を、ユニットボックス１１内に配置された紙幣搬送ベルト手段４と紙幣識別手段５の各一部（複数個の従動ローラ２８からなる第２の複数の従動ローラ、受光センサー３２等）に対して着脱自在に装着することも可能である。
このように、ユニットボックス１１に対してユニット５２を着脱自在に装着させるように構成し、図７で示すユニット５２の位置から、当該ユニット５２を軸５１を中心に反時計方向へ回転させると、紙幣処理装置１の他の実施例を示す図８の斜視図のように、ユニットボックス１１に対してユニット５２が回転して立ち上がる。
この状態から、図９の矢印で示すように、ユニット５２の軸５１を、ユニットボックス１１の内周面に形成された軸受孔８０に連通する切り欠８１から脱出させると、ユニット５２そのものをユニットボックス１１から取り外すことが可能となる。
なお、図８、図９で符号２００はスタッカ６内に収容された紙幣である。
このように、発光センサー３１、磁気センサー３３等の紙幣識別用のセンサーの一部及び紙幣搬送ベルト２１等の紙幣搬送ベルト手段４の一部を搭載したユニット５２をユニットボックス１１から取り外すと、その斜視図で示す図１０のように、ユニット５２に搭載され、かつ駆動プーリ２４と従動プーリ２５と間に張設された紙幣搬送ベルト２１のすべてが露出するとともに、紙幣識別手段５の一部を構成する発光センサー３１、磁気センサー３３等の各種紙幣識別用のセンサーも露出することとなる。
したがって、この図１０で示すユニット５２の取り外し状態では、ユニット５２に搭載された、紙幣識別手段５の一部を構成する発光センサー３１、磁気センサー３３等の各種紙幣識別用のセンサーの清掃を簡単に行うことができるとともに、このユニット５２に搭載された紙幣搬送ベルト手段４の一部を構成する紙幣搬送ベルト２１の交換作業を行う際も、図１１で示すように、当該紙幣搬送ベルト２１を駆動プーリ２４と従動プーリ２５のスラスト方向に沿って移動させることにより簡単に当該紙幣搬送ベルト２１の取り外し、また取付け作業を行うことができることとなる。
なお、この紙幣搬送ベルト２１の取り外し作業の際、紙幣搬送ベルト２１を巻回した駆動プーリ２４と従動プーリ２５をそれぞれスラスト方向に沿って移動させると、駆動プーリ２４と従動プーリ２５が、それを支承する軸２６、７０から脱落する虞があるので、この駆動プーリ２４と従動プーリ２５の脱落を防止するため、図１０の要部破断面図で示す図１２のように、駆動プーリ２４と従動プーリ２５に隣接する位置のユニット板５２ａに、前記各駆動及び従動プーリ２４、２５のスラスト方向への移動を阻止するプーリ移動防止爪９０を立設させるようにしても良い。
このように、駆動プーリ２４と従動プーリ２５に隣接する位置のユニット板５２ａにプーリ移動防止爪９０を立設させると、図１３で示すように、プーリ移動防止爪９０の先端部９０ａが、スラスト方向ヘ移動する駆動プーリ２４と従動プーリ２５の外周縁に当接して、その抜け止めを図るので、各プーリ２４、２５の脱落が防止されて紙幣搬送ベルト２１の交換作業が簡単となる。
なお、図１に示すように、ユニット５２内には発光センサー３１、磁気センサー３３等の紙幣識別用のセンサーを搭載した印刷配線基板３５が配置され、またこの印刷配線基板３５と信号の送受を行うための印刷配線基板３６がユニットボックス１１内に配設されているので、実際にはユニット５２からは印刷配線基板３５に接続された複数本のケーブルが延設されているが、このケーブル１００は、ユニットボックス１１の斜視図で示す図１４のように、ユニットボックス１１の側方に形成されたケーブル収容凹部１１ａ内に収容され、またこのケーブル収容凹部１１ａ内に配設されたコネクタ１０１を介してユニットボックス１１内に配設された印刷配線基板３６（図１）と接続されている。
なお、このケーブル収容凹部１１ａは開閉自在な蓋体１１ｂにより覆われ、またこの蓋体１１ｂはケーブル収容凹部１１ａを覆った際に、図示せぬラッチ手段を介しユニットボックス１１の側方に固定されるように構成されている。
従って、このようなケーブル収容凹部１１ａを形成すると、ユニットボックス１１を装置本体３から取外す等の保守点検作業の際に、ケーブル１００が周囲にある物体と引っ掛かる等の不具合を解消して、その作業の一層の効率化を促進させることができる。
【発明の効果】
以上説明したように、この発明の紙幣処理装置では、紙幣搬送ベルト手段と紙幣識別手段とを少なくとも含むユニットボックスを、装置本体に対し紙幣投入口側に面する搬送ベルトが露出するように開閉自在に装着するようにしたから、これら紙幣搬送ベルト手段と紙幣識別手段の清掃作業を極めて容易に行うことができる。
また、上述した紙幣搬送ベルト手段と紙幣識別手段とを、装置本体とは別体のユニットボックス内に収容配置し、このユニットボックスそのものを装置本体に対して着脱自在に装着するようにしたから、紙幣識別手段の取付け位置、あるいは紙幣搬送ベルト手段の取付け位置等が異なった各種のユニットボックスをあらかじめオプションとして用意しておけば、紙幣規格が異なる各国対応の紙幣処理装置を、大幅な設計変更をすることなく簡単に、しかも安価に提供することができるばかりでなく、紙幣のいたずらに対しても、紙幣識別手段の取付け位置の変更を簡単かつ迅速に行って、その被害を最小限に押さえることもできる。
【図面の簡単な説明】
【図１】図１はこの発明に関わる紙幣処理装置の要部破断面図。
【図２】図２はこの発明に関わる紙幣処理装置の作用を示す要部破断面図。
【図３】図３はこの発明に関わる紙幣処理装置の作用を示す要部破断面図。
【図４】図４はこの発明に関わる紙幣処理装置の作用を示す要部破断面図。
【図５】図５は軸受手段の作用を示す紙幣処理装置の要部破断面図。
【図６】図６は軸受手段の作用を示す紙幣処理装置の要部破断面図。
【図７】図７はこの発明に関わる紙幣処理装置の他の実施例を要部破断面図。
【図８】図８はこの発明の他の実施例の作用を示す斜視図。
【図９】図９はこの発明の他の実施例の作用を示す斜視図。
【図１０】図１０はこの発明の他の実施例の作用を示す斜視図。
【図１１】図１１はこの発明の他の実施例の作用を示す斜視図。
【図１２】図１２は図１０の要部破断面図。
【図１３】図１３は図１０の要部破断面図。
【図１４】図１４はユニットボックスの概念斜視図。
【符号の説明】
１…紙幣処理装置
２…紙幣投入口
３…装置本体
４…紙幣搬送ベルト手段
５…紙幣識別手段
６、５０…紙幣収容手段
１０…軸
１１…ユニットボックス
１１ａ…収納部
１３…Ｕ溝
１４…第１の係止手段
１５…第２の係止手段
２０…紙幣搬送路
２２…モータ
２１…搬送ベルト
２３…駆動手段
２４…駆動プーリ
２５…従動プーリ
２８…従動ローラ
３１、３２…光センサー
３３…磁気センサー
５２…ユニット
９０…プーリ移動防止爪
１００…ケーブル
１０１…コネクタ部
【図１】
0004038321.tif 000002
【図２】
0004038321.tif 000003
【図３】
0004038321.tif 000004
【図４】
0004038321.tif 000005
【図５】
0004038321.tif 000006
【図６】
0004038321.tif 000007
【図７】
0004038321.tif 000008
【図８】
0004038321.tif 000009
【図９】
0004038321.tif 000010
【図１０】
0004038321.tif 000011
【図１１】
0004038321.tif 000012
【図１２】
0004038321.tif 000013
【図１３】
0004038321.tif 000014
【図１４】
0004038321.tif 000015